(57)【要約】【課題】  従来技術では、捕虫器内を飛び回る虫を偶発的に捕獲できるだけなので、極めて効率が悪かった。本発明は、この捕獲効率を高める捕虫器を提供すること目的としている。【解決手段】  虫を誘引するための誘引光源２と、前記虫を捕獲するための捕虫紙４と、前・後面に開口部７を有し、内部に前記誘引光源２と前記捕虫紙４とを有する筐体３とを備える捕虫器１において、前記筐体３には、内部に前記誘引光源２を配設して、前記誘引光源２からの光を反射するように捕虫紙４を誘引光源２に向かうように傾斜して配設した捕虫器。【選択図】図２
2016002043.tif 000002
【特許請求の範囲】
【請求項１】
虫を誘引するための誘引光源と、前記虫を捕獲するための捕虫紙と、前・後面に開口部を有し、内部に前記誘引光源と前記捕虫紙とを有する筐体とを備える捕虫器において、前記筐体には、内部に前記誘引光源を配設して、前記誘引光源からの光を反射するように捕虫紙を誘引光源に向かうように傾斜して配設したことを特徴とする捕虫器。
【請求項２】
前記誘引光源を筐体の中心に配設し、この誘引光源に対向するように、しかも誘引光源からの光を反射するように前記捕虫紙を偶数枚傾斜させて配設したことを特徴とする請求項１に記載の捕虫器。
【発明の詳細な説明】
【技術分野】
【０００１】
本発明は、誘引光源と捕虫紙の配設関係を工夫したことにより、誘引光源で虫を効率よく誘引し、捕虫紙で誘引された虫を捕獲する捕虫器に関するものである。
【背景技術】
【０００２】
従来から、この種の捕虫器として、筐体に開口部が設けられ、内部に誘引光源と捕虫紙を備え、誘引光源からの光で虫を誘引し、この誘引された虫を捕虫紙により捕獲する捕虫器（例えば特許文献１参照）で、誘引光源に対して捕虫紙を垂直型（図４参照）、並行型（図５参照）、Ｕ字型（図６参照）に配設するものが従来存在する。しかし、これら従来の捕虫器の問題点は、垂直型は、誘引光源の周辺を飛び回る虫を偶発的に捕虫紙によって捕獲されているだけで、効率よく捕獲できていない。
しかも、捕獲した虫の自重で、重力に耐えきれずに落下し、捕虫器下面に落下することが多く見られた。すなわち、偶発的な捕獲で、捕獲されても落下することが多いことを突き止めた。
また、並行型は、誘引光源の周辺を大きく弧を描いて飛び回る虫を垂直型と同様に偶発的に捕虫紙で捕獲していることが判明した。この場合、虫が留まろうとして捕獲されることがあるが、大半が虫の足だけの捕獲のため、着後に飛び回って逃げてしまうことがあることも確認できた。すなわち、並行型は羽を捕えることが少なく、逃げられやすいことが判明した。
さらに、Ｕ字型は、捕虫紙自体が特殊形状に形成しなければならず、コストと製作上、手間が掛かる。すなわち、捕虫紙に汎用性が無いという問題点がある。
【先行技術文献】
【特許文献】
【０００３】
【特許文献１】特開２００７−１３５５２７号公報（特許請求の範囲の欄、発明の詳細な説明の欄、及び図１〜図１１を参照）
【発明の概要】
【発明が解決しようとする課題】
【０００４】
虫は誘引光源に誘引された後、誘引光源に留まる（まれに誘引光源上で死んで捕虫器の下に落下する。）。さらに誘引光源、または筐体の枠や、捕虫紙、誘引光源の支持部材に留まる。この留まった場所から横に暫くウロウロ歩く。また誘引光源を中心に飛び回るという動作を繰り返す。特許文献１をはじめ、前記説明した従来技術では、これらの誘引光源の周りを飛び回ったり、留まったりする行動中に偶発的に捕虫紙に捕獲されるだけのものである。
すなわち、従来の捕虫器では偶発的に捕獲できるだけなので、極めて効率が悪いこと確認された。
本発明は、この捕獲効率を高める捕虫器を提供すること目的としている。
【課題を解決するための手段】
【０００５】
上記の目的を達成することができる本発明の第１発明は、請求項１に記載された通りの捕虫器であり、次のようなものである。
虫を誘引するための誘引光源と、前記虫を捕獲するための捕虫紙と、前・後面に開口部を有し、内部に前記誘引光源と前記捕虫紙とを有する筐体とを備える捕虫器において、前記筐体には、内部に前記誘引光源を配設して、前記誘引光源からの光を反射するように捕虫紙を誘引光源に向かうように傾斜して配設する構成である。
【０００６】
上記の目的を達成することができる本発明の第２発明は、請求項２に記載された通りの捕虫器であり、次のようなものである。
請求項１に記載の発明に加えて、前記誘引光源を筐体の中心に配設し、この誘引光源に対向するように、しかも誘引光源からの光を反射するように前記捕虫紙を偶数枚傾斜させて配設する構成である。
【発明の効果】
【０００７】
本発明に係る捕虫器は、上記説明のような構成を有するので、以下に記載する効果を奏する。
（１）正の走光性を持つ虫は、蛇行しながら捕虫器内の誘引光源に集まる。以後虫は、誘引光源を中心に輪舞のような飛び回りをしたり、周辺に留まったりする（観察すると、通常、誘引光源自体や、捕虫器の枠体や、誘引光源、捕虫紙の支持部材であるガードに留まる事が多い。）。その後、誘引光源周辺での虫の行動に対し、粘着性シートからなる捕虫紙に捕獲される。
本発明は、捕虫紙を誘引光源に対して斜めに傾斜させて配設することにより、誘引光源である、例えば紫外線が捕虫紙で遮蔽されないで、広角に反射され、しかも捕虫紙の前面で反射するので、虫に対する紫外線照射率が反射により高まるので、誘虫効率が上がる。
（２）特に、ニクバエなど大型のハエが積極的に捕虫紙に留まろうとし、捕虫紙が斜めであるために羽も触れ、逃げられなくなる。
（３）請求項２に記載の発明の内、特に偶数枚の中でも、Ｘ字型に捕虫紙を４枚、誘引光源を中心に配設することにより、捕虫効率をなお一層増加させることができる。
（４）従来の捕虫器では捕獲され難い、大型のニクバエなども捕虫紙を斜めに設置することにより、効果的に捕獲することができる。
【発明を実施するための形態】
【０００８】
虫を誘引するための誘引光源と、前記虫を捕獲するための捕虫紙と、前・後面に開口部を有し、内部に前記誘引光源と前記捕虫紙とを有する筐体とを備える捕虫器において、前記筐体には、内部に前記誘引光源を配設して、前記誘引光源からの光を反射するように捕虫紙を誘引光源に向かうように傾斜して配設した捕虫器である。
【図面の簡単な説明】
【０００９】
【図１】本発明の捕虫器における第一実施例を示すもので、（ａ）は捕虫器の全体概略斜視図、（ｂ）は筐体における蓋体の概略斜視図、（ｃ）は捕虫紙を枠体に取り付けた状態を示す概略斜視図、（ｄ）は（ｃ）の概略側面図である。
【図２】本発明の捕虫器における第二実施例を示すもので、誘引光源と捕虫紙の関係における光源の反射の様子を概略説明するための概略側面図である。
【図３】前記第二実施例の捕虫器において、観察して得られた捕虫器付近での虫（例えば、ハエ）の行動パターンの説明図である。
【図４】従来の捕虫器における捕虫紙を誘引光源に対して垂直に配設した垂直型の捕虫器の概略側面図である。
【図５】従来の捕虫器における捕虫紙を誘引光源に対して並行に配設した並行型の捕虫器の概略側面図である。
【図６】従来の捕虫器における捕虫紙を誘引光源に対して円弧状に覆うように配設したＵ字型の捕虫器の概略側面図である。
【実施例１】
【００１０】
先ず、従来の捕虫器について簡単に説明する。
捕虫器に対して、走光性を持つ虫は、蛇行しながら誘引光源に集まる。以後、誘引光源を中心に輪舞のように飛び回りながら、周辺の各部位に留まったりする（通常では、誘引光源自体や、捕虫器の筐体、支持枠に留まることが多い。）。従来の捕虫器の捕虫紙は、この誘引光源周辺での虫の飛翔行動に対し、虫を偶発的に捕獲するものである。
さらに、従来の具体的な捕虫器について説明すると、図４に示す垂直型の捕虫器は、誘引光源の周辺を飛翔している虫を偶発的に捕獲する。偶発的な捕獲が多く、捕獲されても落下することが多いことが判明した。
図５に示す並行型の捕虫器は、誘引光源の周辺を大きく弧を描いて飛翔する虫を偶発的に捕獲する。しかし、虫の足だけの捕獲のため、着後に飛翔してしまうことがある。さらに羽を捕えることが少なく、逃げられ易いことが判明した。
図６に示すＵ字型の捕虫器は、捕虫紙自体の形状が特殊なため、製作費がかさみ、コストと手間が掛かり過ぎる。すなわち、捕虫紙の汎用性がない。
以上説明した通り、これら従来の捕虫器は、偶発的な捕獲に依存し、全般的に大型のニクバエなどの捕獲力が低いものである。
【００１１】
次に、大型ハエの飛び回る行動パターンを本発明の捕虫器を使用して観察した結果を説明する。
図３に示すように、大型ハエは、誘引光源２に誘引されて捕虫器１内に入ると、主に以下の行動をとった。
（ａ）誘引光源２に留まる（まれに誘引光源２上で死んで捕虫器の下に落下する。）。
（ｂ）誘引光源２を中心に飛び回る。
（ｃ）筐体３や支持枠５に留まる。
（ｄ）留まった場所から横に暫くウロウロと歩く。
（ｅ）本発明の捕虫器の特徴の一つである捕虫紙を斜めにし、Ｘ状に配設された各捕虫紙に、直接留まる（捕虫紙に粘着面がない場合、ハエが歩行することも確認できた。）。
すなわち、捕虫紙自体に止まり木の効果があり、捕獲され易いことが判明した。
これは、従来の捕虫器と比較しても効果に大きな差があり、従来の捕虫器ではハエが誘引光源を中心に飛び回る行動中に偶発的にしか捕虫紙による捕獲がなかったが、本発明の捕虫器では、誘引光源２の反射照射により直接捕虫紙に留まったり、筐体３や支持枠５に留まったハエがウロウロ歩きながら斜めに配設された捕虫紙に移動することが確認でき、捕獲機会の増加が確認できた。
【００１２】
次に、本発明の捕虫器の一実施例を図面に基づいて説明する。
図１は、捕虫紙４を誘引光源２に対してＸ型に配設した捕虫器１を示す。この捕虫器１は誘引光源２を捕虫器１外に出射し、この誘引光によって虫を捕虫器１内へ誘引して捕獲する捕虫器１である。
捕虫器１は、略矩形状の蓋体６と支持枠５からなる筐体３を備え、この筐体３内部に虫を誘引するための誘引光源２と、誘引された虫を捕獲するための捕虫紙４と、誘引光源２の点灯安定器（図示せず）と誘引光源２、捕虫紙４の支持枠５とが配設されているものである。
筐体３は、前・後面に開口部７を有しており、筐体３の略中心部に誘引光源２を配設し、この誘引光源２に対して放射状に対向するようにＸ状に４枚の捕虫紙４を設けたものである。
このような構成としたことにより、捕虫紙４が誘引光源２の光源である、例えば紫外線を遮蔽しないで捕虫紙４が反射板の役目を果たし、紫外線を広角に反射させて（図２参照）紫外線照射率が高められる。
【００１３】
ここで、図２に基づいて本発明の捕虫器１の第二実施例について説明する。
前記第一実施例との違いは、捕虫紙４をＸ状に配設したものに対して、捕虫紙４を２枚利用して、誘引光源２に対向して図２に示すように斜めに傾斜させて配設したもので、誘引光源２から前後に光が照射されると同時に、捕虫紙４が斜めになっているため反射して広角に光が照射されるので、ハエは捕虫器１内に誘引されやすくなり、結果として捕獲率が上がるものである。
【００１４】
以上、第一、第二実施例については、捕虫紙４を４枚と２枚の偶数枚を配設したものについて説明したが、奇数枚であっても、誘引光源２に対向して捕虫紙４を斜めに傾斜させて配設したものであれば、捕虫紙４が斜めになっているため、光が反射して広角に照射されるので、虫は捕虫器１内に誘引され易くなり、結果として捕獲率が上がるものである。
【００１５】
尚、捕虫器１の色を選定する上で、フロリダ大学のフィリップ・Ｇ・ケラー教授の研究により青色がより優位に飛来虫が誘引されることが判明したので、捕虫器筐体３の色は青色を採用した。この青色にしたことにより、食品加工工場内で使用の際、万が一捕虫器１が割れた際の異物混入防止の役割を持ち、食品中に混じった時に見つけ易いことが判明した。
【産業上の利用可能性】
【００１６】
誘引光源の照射光の種類を選択することによって、捕獲したい虫に対応した捕虫器に変更することが可能である。
【符号の説明】
【００１７】
１・・・・捕虫器
２・・・・誘引光源
３・・・・筐体
４・・・・捕虫紙
５・・・・支持枠
６・・・・蓋体
７・・・・開口部
【図１】
2016002043.tif 000003
【図２】
2016002043.tif 000004
【図３】
2016002043.tif 000005
【図４】
2016002043.tif 000006
【図５】
2016002043.tif 000007
【図６】
2016002043.tif 000008